(57)【要約】【課題】デジタル放送信号における各階層７の変調誤差比を簡単に測定する。【解決手段】ＩＳＤＢ―Ｔシステムで採用されるＢＳＴ―ＯＦＤＭ変調方式で変調されたデジタル放送信号（ａ）の信号パラメータＧＰを自動検出する。一方、デジタル放送信号（ａ）をベースバンド信号Ｉ、Ｑに復調し、このベースバンド信号をＯＦＤＭ復調して、１つのチャネルにおける全部のサブキャリアを得る。この全部のサブキャリアを先に検出された信号パラメータＧＰを用いて各階層毎のサブキャリアに区分けして、この区分された各階層毎のサブキャリアを信号パラメータＧＰにて決まる復調方式で復調して、各階層毎のＭＥＲを算出する。【選択図】    図１
2005026780.tif 000002
【特許請求の範囲】
【請求項１】
１つのチャネルの周波数帯域に変調方式が異なる複数のデジタル情報の階層（７）を配置しこれらの階層をＢＳＴ―ＯＦＤＭ変調したデジタル放送信号（ａ）の変調誤差比（ＭＥＲ）を測定する変調誤差比測定装置において、
入力された前記デジタル放送信号の周波数を中間周波数に変換し、この中間周波数信号を直交復調したベースバンド信号を出力する信号変換部（１１）と、
この出力されたベースバンド信号から前記デジタル放送信号のモード及びガードインターバルを検出し、検出したモード及びガードインターバルに基づいて前記デジタル放送信号に含まれるＴＭＣＣ信号を抽出し、このＴＭＣＣ信号から前記各階層の信号内位置、セグメント数、及び変調方式を含む信号パラメータを検出する信号パラメータ検出手段（２１）と、
前記信号変換部から出力されたベースバンド信号からＯＦＤＭ変調のシンボルタイミングを抽出するシンボルタイミング抽出手段（３３）と、
この抽出されたシンボルタイミングを用いて前記ベースバンド信号に対して、高速フーリエ変換処理することにより、前記デジタル放送信号の１つのチャネルを構成する全てのサブキャリアを抽出するＯＦＤＭ復調手段（３５）と、
このＯＦＤＭ復調手段で抽出された各サブキャリアを、前記検出された信号パラメータを用いて前記各階層に区分ける区分け手段（３８）と、
この各階層に区分けされた各階層毎のサブキャリアを、前記検出された信号パラメータを用いて該当階層の変調方式に対応する復調方式で復調して測定コンスタレーションを得る復調手段（３９）と、
この復調された測定コンスタレーションから理論的コンスタレーションを推定する推定手段（４０）と、
前記復調された測定コンスタレーションと前記推定された理論的コンスタレーションとの誤差分を算出する誤差算出手段（４１）と、
この算出された各階層の各誤差分と該当階層の理想コンスタレーションとの電力比を変調誤差比として算出する変調誤差比算出手段（４２）と、
この算出された各階層の変調誤差比を表示する表示手段（１４）と
を備えた変調誤差比測定装置。
【請求項２】
前記デジタル放送信号の信号パラメータを操作入力するための操作部（１３）と、
前記区分け手段及び復調手段で用いる信号パラメータを前記操作入力された信号パラメータに切換える切換手段（１６）と
を備えた請求項１記載の変調誤差比測定装置。
【請求項３】
前記信号パラメータ検出手段は、一定周期で繰返し実施されることを特徴とする請求項１又は２記載の変調誤差比測定装置。
【発明の詳細な説明】
【０００１】
【発明の属する技術分野】
本発明は、デジタル放送信号の変調誤差比（ＭＥＲ）を測定する変調誤差比測定装置に関する。
【０００２】
【従来の技術】
近年、テレビジョン放送における地上波放送、衛星放送、ケーブル放送の各放送信号をデジタル化して、１つのチャネルに画像、音声のみならず、多数の付加情報を組込んで送信して、ＴＶの視聴者に付加情報を選択させる計画が実験、及び一部実用化されている。
【０００３】
このようなＩＳＤＢ―Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ  −Ｔｅｒｒｅｓｔｒｉａｌ  総合デジタル地上波放送）システムで採用されるデジタル放送信号の信号品質を評価することは、視聴者に対して常時良好な画像を提供するために重要なことである。
【０００４】
放送信号の信号品質を定量的に表す手法として、ＣＮが一般的に採用されている。アナログ放送信号の各チャネルの周波数分布は、図９（ａ）に示すように、画像信号のスペクトル１と音声信号のスペクトル２とが互いに離間している。この場合、このチャネルの周波数帯域内における雑音レベル（Ｎ）は簡単に測定できる。また、画像信号のスペクトル１の信号レベル（Ｃ）も簡単に測定できる。よって、このアナログ放送信号のＣＮが簡単に求まる。
【０００５】
しかしながら、日本国におけるＩＳＤＢ―Ｔシステムで採用されているＢＳＴ―ＯＦＤＭ（Ｂａｎｄ  Ｓｅｇｍｅｎｔｅｄ  Ｔｒａｎｓｍｉｓｓｉｏｎ−Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ    帯域セグメント化伝送―直交周波数分割多重）変調方式で変調されたデジタル放送信号においては、図９（ｂ）に示すように、このチャネルの周波数帯域内に映像、音声、付加情報等の多数のスペクトルが平均的に分散するので、周波数帯域内一杯の台形スペクトル３となる。その結果、この周波数帯域内の雑音は台形スペクトル３内に埋没するので、この雑音レベル（Ｎ）を直接測定できない。
【０００６】
一般に、デジタル信号における搬送波（キャリア）と雑音（ノイズ）との比で示されるＣＮと、誤り率（ＢＥＲ）との関係は、図１０に示すように、誤り率―ＣＮ特性４で示される。したがって、誤り率（ＢＥＲ）が測定できれば、このデジタル信号のＣＮは一義的に求まる筈である。しかし、誤り率―ＣＮ特性４における誤り率（ＢＥＲ）が小さい領域においては、正確なＣＮが求まらない問題があった。
【０００７】
そこで、デジタル放送信号の信号品質を、このデジタル放送信号の変調誤差比（ＭＥＲ  Ｍｏｄｕｌａｔｉｏｎ  Ｅｒｒｏｒ  Ｒａｔｉｏ  ）を測定することによって確認することが実用化されている。
【０００８】
この変調誤差比（ＭＥＲ）とＣＮとは、システムや変調方式が定まればほぼ１対１で対応している。この変調誤差比（ＭＥＲ）は、受信したデジタル放送信号を復調して得られる図１１に示すＩ、Ｑ座標上のコンスタレーション・シンボルＰ’（Ｉ’、Ｑ’）と論理的なコンスタレーション・シンボルＰ（Ｉ、Ｑ）と間の距離で示される誤差分（ΔＩ、ΔＱ）のＲＭＳ電力比を（１）式に示すように統計的に集計したものである。
【０００９】
【数１】
2005026780.tif 000003
【００１０】
（１）式において、分子は搬送波（キャリア）の電力であり、分母は雑音の電力となる。
【００１１】
日本国におけるＩＳＤＢ―Ｔシステムで採用されているＢＳＴ―ＯＦＤＭ変調方式で変調された１チャネル分のデジタル放送信号５は、図１２に示すように、周波数軸上に配列された１３個のセグメント６で形成されており、各セグメント６は１００を超える多数のサブキャリアで構成されている。そして、１個又は複数のセグメント６で階層７を構成している。
【００１２】
例えば、図１２においては、１つのセグメント６でＡ階層を形成し、６つのセグメント６でＢ階層を形成し、６つのセグメント６でＣ階層を形成している。１チャネルに含まれる３種類のＡ、Ｂ、Ｃの各階層７は、例えば、音声、映像、付加情報等の送信すべき情報がまとまった番組毎に割当られている。
【００１３】
したがって、各階層７毎に異なる変調方式で変調されるので、デジタル放送信号５における各階層７毎の変調誤差比（ＭＥＲ）を測定する変調誤差比測定装置が特許文献１に提唱されている。
【００１４】
【特許文献１】
特開２００２―１２４９３１号公報
【００１５】
【発明が解決しようとする課題】
しかしながら、上述した特許文献１に提唱された変調誤差比測定装置においてもまだ解消すべき次のような課題があった。
【００１６】
すなわち、ＢＳＴ―ＯＦＤＭ変調方式で変調されたデジタル放送信号５には、図１２に示すように、１３個のセグメント６で形成され、かつ最大３個の階層７で形成されている。そして、３種類のＡ、Ｂ、Ｃの各階層７を構成するセグメント６の数、３種類のＡ、Ｂ、Ｃの各階層７の信号内位置、各階層７を構成する各セグメント６に含まれる各サブキャリアの変調方式等のデジタル放送信号５の信号パラメータは、このチャネルのデジタル放送信号５を送信する放送局毎に一定規格の範囲内において任意に設定可能である。さらに、同一チャネル内においても、放送内容に応じて任意に変更可能である。例えば、同一チャネルのデジタル放送信号５で、ハイビジョン放送と、通常放送と放送時間に応じて切り換えることがある。
【００１７】
したがって、変調誤差比測定装置で、このようなデジタル放送信号５における各階層７毎の変調誤差比（ＭＥＲ）を測定するためには、この変調誤差比測定装置の操作者は、このデジタル放送信号５の前述した信号パラメータを測定装置に設定する必要がある。
【００１８】
しかしながら、前述したように、デジタル放送信号５の信号パラメータは、チャネル毎に異なることや、同一チャネル内においても変更されることがあるので、操作者は、測定を実施するに先だって、放送局に問い合わせる等の何らかの手段を講じることによって、測定対象のデジタル放送信号５の信号パラメータを入手する必要が生じる。
【００１９】
この測定対象のデジタル放送信号５の信号パラメータを入手したり、信号パラメータを変調誤差比測定装置に操作入力することは、操作者にとって、非常に煩雑である。したがって、デジタル放送信号５における各階層７毎の変調誤差比（ＭＥＲ）を測定する測定作業能率が低下する。
また、操作者が誤った信号パラメータを設定する懸念もある。
【００２０】
本発明は、このような事情に鑑みてなされたものであり、入力されたデジタル放送信号から信号パラメータを検出することにより、測定対象のデジタル放送信号の信号パラメータの自動設定が可能であり、かつ、測定対象のデジタル放送信号の階層構成が変更になったとしても、設定されている信号パラメータが自動的に変更になり、変調誤差比（ＭＥＲ）の測定能率を向上でき、かつ操作者の測定作業負担を大幅に向上できる変調誤差比測定装置を提供することを目的とする。
【００２１】
【課題を解決するための手段】
本発明は、１つのチャネルの周波数帯域に変調方式が異なる複数のデジタル情報の階層を配置しこれらの階層をＢＳＴ―ＯＦＤＭ変調したデジタル放送信号の変調誤差比（ＭＥＲ）を測定する変調誤差比測定装置に適用される。
【００２２】
そして、上記課題を解消するために、本発明の変調誤差比測定装置においては、入力されたデジタル放送信号の周波数を中間周波数に変換し、この中間周波数信号を直交復調したベースバンド信号を出力する信号変換部と、この出力されたベースバンド信号からデジタル放送信号のモード及びガードインターバルを検出し、検出したモード及びガードインターバルに基づいてデジタル放送信号に含まれるＴＭＣＣ信号を抽出し、このＴＭＣＣ信号から各階層の信号内位置、セグメント数、及び変調方式を含む信号パラメータを検出する信号パラメータ検出手段と、信号変換部から出力されたベースバンド信号からＯＦＤＭ変調のシンボルタイミングを抽出するシンボルタイミング抽出手段と、この抽出されたシンボルタイミングを用いてベースバンド信号に対して、高速フーリエ変換処理することにより、デジタル放送信号の１つのチャネルを構成する全てのサブキャリアを抽出するＯＦＤＭ復調手段と、このＯＦＤＭ復調手段で抽出された各サブキャリアを、検出された信号パラメータを用いて各階層に区分ける区分け手段と、この各階層に区分けされた各階層毎のサブキャリアを、検出された信号パラメータを用いて該当階層の変調方式に対応する復調方式で復調して測定コンスタレーションを得る復調手段と、この復調された測定コンスタレーションから理論的コンスタレーションを推定する推定手段と、復調された測定コンスタレーションと推定された理論的コンスタレーションとの誤差分を算出する誤差算出手段と、この算出された各階層の各誤差分と該当階層の理想コンスタレーションとの電力比を変調誤差比として算出する変調誤差比算出手段と、この算出された各階層の変調誤差比を表示する表示手段とを備えている。
【００２３】
このように構成された変調誤差比測定装置において、変調誤差比（ＭＥＲ）の測定対象のデジタル放送信号は、１つのチャネルの周波数帯域に変調方式が異なる複数のデジタル情報の階層を配置し、これらの階層をＢＳＴ―ＯＦＤＭ変調したものである。このようなデジタル放送信号においては、１つのチャネルの周波数帯域内に周波数分割されて、映像プログラム、付加情報等を含む複数の階層が配置されている。
【００２４】
また、ＢＳＴ―ＯＦＤＭ変調されたデジタル放送信号は、周波数帯、各サブキャリアの周波数間隔、１セグメントに含まれるサブキャリア数等を定めた複数種類のモードが存在する。したがって、入力されたデジタル放送信号は、各設定状態における物理的特性を検出することによって、入力されたデジタル放送信号のモード及びガードインターバルを検出可能である。
【００２５】
また、モード及びガードインターバル毎に、このデジタル放送信号に含まれる多数のサブキャリアのうちの複数のＴＭＣＣ（Ｔｒａｎｓｍｉｓｓｉｏｎ  Ｍｕｌｔｉｐｌｅｘｉｎｇ  Ｃｏｎｆｉｇｕｒａｔｉｏｎ  Ｃｏｎｔｒｏｌ）信号の位置が規定されている。したがって、モード及びガードインターバルが判明できれば、この複数のＴＭＣＣ信号を抽出可能である。この各ＴＭＣＣ信号は各階層の信号内位置、セグメント数、及び変調方式の情報を含む。したがって、この各ＴＭＣＣ信号を復調することによって、デジタル放送信号の信号パラメータが検出される。
【００２６】
したがって、デジタル放送信号の各サブキャリアをＯＦＤＭ復調し、かつこの検出された信号パラメータを用いて、ＯＦＤＭ復調して得られる各サブキャリアを各階層に区分可能である。その結果、各階層毎のサブキャリアが特定されるので、検出された信号パラメータを用いて各階層毎のサブキャリアを復調すれば、各階層毎の測定コンスタレーションが得られる。よって、各階層毎の変調誤差比（ＭＥＲ）が得られる。
【００２７】
このように、入力されたデジタル放送信号から信号パラメータを検出することにより、入力されたデジタル放送信号の各階層毎の変調誤差比（ＭＥＲ）の自動測定が可能となる。
【００２８】
また、別の発明は、上述した発明の変調誤差比測定装置において、デジタル放送信号の信号パラメータを操作入力するための操作部と、区分け手段及び復調手段で用いる信号パラメータを操作入力された信号パラメータに切換える切換手段とを備えている。
【００２９】
このように構成された変調誤差比測定装置においては、上述したように信号パラメータを自動検出して自動設定することの他に、必要に応じて、操作者がマニュアル設定可能である。
【００３０】
また、別の発明は、上述した発明の変調誤差比測定装置において、信号パラメータ検出手段は、一定周期で繰返し実施されるようにしている。
【００３１】
このように構成された変調誤差比測定装置においては、一定周期で繰返し信号パラメータの検出が実施されるので、例えば番組変更等に応じてデジタル放送信号の階層構成が変化したとしても継続して各階層の変調誤差比を測定可能である。
【００３２】
【発明の実施の形態】
以下、本発明の一実施形態を図面を用いて説明する。
図１、図２は本発明の一実施形態に係る変調誤差比測定装置の概略構成を示すブロック図である。
【００３３】
外部から入力されたＢＳＴ―ＯＦＤＭ変調されたデジタル放送信号ａは信号変換部１１へ入力される。このＢＳＴ―ＯＦＤＭ変調されたデジタル放送信号ａは、図１２で示したデジタル放送信号５と同じであり、図３に示すように、周波数軸で示して、最大１３個のセグメント６で形成され、かつ最大３個の階層７で形成されている。各セグメント６は、例えば１００を超えるサブキャリア８で構成されている。１００を超えるサブキャリア８のなかには、複数のＴＭＣＣ信号９含まれる。
【００３４】
また、このデジタル放送信号ａには、図４に示すように、時間軸で示して、１シンボル毎にＧＩ（ガードインターバル）１０が設けられている。このＧＩ（ガードインターバル）１０内には、１シンボルの１／４、１／８、１／１６、１／３２のデータが複写されて書込まれている。
【００３５】
このようなＢＳＴ―ＯＦＤＭ変調されたデジタル放送信号ａにおいては、前述したように、周波数帯、各サブキャリアの周波数間隔、１セグメント６に含まれるサブキャリア８の数等を定めた複数種類のモードが存在する。
【００３６】
また、各ＴＭＣＣ信号９の数、サブキャリア８内の位置はモード毎に予め設定されている。各ＴＭＣＣ信号９の変調方式は最も高い雑音耐性を有するＤＢＰＳＫに固定されている。さらに、このＴＭＣＣ信号９の信号レベルは他のＡ〜Ｃの各階層７の信号レベルより２．５ｄＢ高く設定されている。
【００３７】
この複数のＴＭＣＣ信号９には、各階層７の信号内位置、セグメント数、及び変調方式の情報を含む。したがって、この各ＴＭＣＣ信号を復調することによって、デジタル放送信号ａの信号パラメータＧＰが検出される。
【００３８】
図１に示す変調誤差比測定装置において、入出力操作部（ヒューマン・インターフェース）１２は、操作部１３と表示部１４とで構成されている。操作部１３内には、信号周波数設定部１５と信号パターン設定部１６とが含まれる。信号周波数設定部１５は、ＴＶ放送の各チャネルの搬送波周波数を記憶し、入力したデジタル放送信号ａのうちの操作者が指定したチャネルの信号を中間周波数信号ｂに変換するための局部発振（ローカル）信号ｄを発振して、信号変換部１１へ送出する。
【００３９】
信号パラメータ設定部１６は、操作者が例えばキーボード等を用いて設定した試験対象のデジタル放送信号ａの信号パラメータＧＰを変調誤差比（ＭＥＲ）測定部２２へ設定する。さらに、信号パラメータ設定部１６は、信号パラメータ検出部２１で試験対象のデジタル放送信号ａから自動検出された信号パラメータＧＰを変調誤差比（ＭＥＲ）測定部２２へ設定する。
【００４０】
具体的には、信号パラメータＧＰにおける各階層７の信号内位置、セグメント数を図２に示す変調誤差比（ＭＥＲ）測定部２２の区分け部３８へ送出し、信号パラメータＧＰにおける各階層７の変調方式を復調部３９へ送出する。
【００４１】
なお、操作入力、又は自動測定のいずれからの信号パラメータＧＰを変調誤差（ＭＥＲ）測定部２２へ設定するかは操作者が任意に設定変更可能である。
【００４２】
例えば液晶表示器と表示制御回路で構成された表示部１４には、この変調誤差比測定装置で測定された搬送波（キャリア）周波数の周波数誤差１７、各階層７の変調誤差比（ＭＥＲ）１８、各階層７の測定コンスタレーション１９、信号パラメータ検出部２１で検出されたモード、ＧＩ（ガードインターバル）、ＴＭＣＣ情報（信号パラメータ）等の検出情報２０を表示する。
【００４３】
信号変換部１１の周波数変換部２３は、信号周波数設定部１５から印加されている局部発振（ローカル）信号ｄを用いて入力されたデジタル放送信号ａの周波数を中間周波数に変換して中間周波数信号ｂとして次のＡ／Ｄ変換器２４へ送出する。Ａ／Ｄ変換器２４は入力された中間周波数信号ｂをデジタルの中間周波数信号ｂ１に変換して直交復調部２５へ送出する。
【００４４】
直交復調部２５は、入力されたデジタルの中間周波数信号ｂ１を同相成分Ｉと直交成分Ｑとからなるベースバンド信号Ｉ、Ｑに直交復調して、信号パラメータ検出部２１及び変調誤差比（ＭＥＲ）測定部２２へ送出する。
【００４５】
信号パラメータ検出部２１は、モード検出部２６、ガードインターバル検出部２７、ＴＭＣＣ復調部２８、ＴＭＣＣ情報（信号パラメータ）検出部２９で構成されている。
【００４６】
モード検出部２６は、信号変換部１１から入力されたベースバンド信号Ｉ、ＱをＦＦＴ変換して、このベースバンド信号Ｉ、Ｑからなるデジタル放送信号ａの周波数帯域と、各サブキャリア８相互の周波数間隔とを測定して、このデジタル放送信号ａのモードを判定（検出）する。モード検出部２６は、検出したモードをガードインターバル（ＧＩ）検出部２７及びＴＭＣＣ復調部２８へ送出する。
【００４７】
ガードインターバル（ＧＩ）検出部２７は、信号変換部１１から入力されたベースバンド信号Ｉ、Ｑに含まれるモードで指定されたガードインターバル（ＧＩ）１０を検出して、ＯＦＤＭシンボルタイミングを抽出してＴＭＣＣ復調部２８へ送出する。
【００４８】
ＴＭＣＣ復調部２８は、ガードインターバル（ＧＩ）検出部２７からのＯＦＤＭシンボルタイミングを用いて、信号変換部１１から入力されたベースバンド信号Ｉ、Ｑに対して高速フーリエ変換（ＦＦＴ）を実施すことにより、各サブキャリア８を検出する。さらに、検出した各サブキャリア８のうち、モードで指定された各ＴＭＣＣ信号９を、ＤＢＰＳＫの変調方式に対応する復調方式で復調する。
【００４９】
ＴＭＣＣ情報（信号パラメータ）検出部２９は、復調された各ＴＭＣＣ信号９の示す情報（ステータス）から、測定対象のデジタル放送信号ａの各階層７の信号内位置、セグメント数、及び変調方式からなる信号パラメータＧＰを検出して、入出力操作部１２の信号パラメータ設定部１６へ送出するとともに、入出力操作部１２の表示部１４へ送出する。
【００５０】
図２は、変調誤差比（ＭＥＲ）測定部２２の概略構成を示すブロック構成図である。
【００５１】
信号変換部１１から入力された同相成分Ｉと直交成分Ｑとからなるベースバンド信号Ｉ、Ｑは、第１の周波数誤差測定部３１及び周波数誤差補正部３２へ送出される。第１の周波数誤差測定部３１は、ベースバンド信号Ｉ、Ｑに含まれる不要な周波数成分、すなわち周波数誤差Δｆ１を検出して、この周波数誤差Δｆ１を周波数誤差補正部３２及び表示部１４へ送出する。
【００５２】
周波数誤差補正部３２は、第１の周波数誤差測定部３１からの周波数誤差Δｆ１及び第２の周波数誤差測定部３４からの周波数誤差Δｆ２を用いて、信号変換部１１の直交復調部２５から入力されたベースバンド信号Ｉ、Ｑに含まれる周波数誤差を粗く補正して、周波数補正後のベースバンド信号Ｉ’、Ｑ’をシンボルタイミング抽出部３３及びＯＦＤＭ復調部３５へ送出する。
【００５３】
シンボルタイミング抽出部３３は、入力された周波数補正後のベースバンド信号Ｉ’、Ｑ’からガードインターバル関数を用いて、ＯＦＤＭシンボルタイミングを抽出してＯＦＤＭ復調部３５へ印加する。
【００５４】
ＯＦＤＭ復調部３５は、シンボルタイミング抽出部３３からのＯＦＤＭシンボルタイミングを用いて、入力された周波数補正後のベースバンド信号Ｉ’、Ｑ’に対して高速フーリエ変改処理（ＦＦＴ）を実施することによって、デジタル放送信号ａの指定された１つのチャネルに含まれる全てのサブキャリア８を抽出して、伝送路イコライザ３６、第２の周波数誤差測定部３４及び伝送路特性算出部３７へ送出する。
【００５５】
第２の周波数誤差測定部３４は、入力されたサブキャリアのＳＰ（スカッタード・パイロット）、ＣＰ（コンティニュアル・パイロット）を用いて周波数補正後のベースバンド信号Ｉ’、Ｑ’の周波数におけるさらに詳細な周波数誤差Δｆ２を測定して前述した周波数誤差補正部３２へ送出する。したがって、周波数誤差補正部３２は、先に周波数補正したベースバンド信号Ｉ’、Ｑ’を再度周波数補正することになるので、ベースバンド信号Ｉ’、Ｑ’の周波数精度がさらに向上する。また、第２の周波数誤差測定部３４は測定した詳細な周波数誤差Δｆ２を表示部１４へ送信する。
【００５６】
伝送路特性算出部３７は、入力されたサブキャリアのＳＰ（スカッタード・パイロット）より、伝送路の周波数特性を推定し、この伝送路の周波数特性が各サブキャリア８毎の該当伝送路を伝送される場合の位相、振幅に与える影響度（変化度）を算出して伝送路イコライザ３６へ送出する。
【００５７】
伝送路イコライザ３６は、ＯＦＤＭ復調部３５で復調された各サブキャリア８に対して伝送路特性算出部３７から入力された各サブキャリア８毎の影響度（変化度）の逆数を乗算して、各サブキャリア８が伝送路を通過することに起因する特性変化を補償する。伝送路イコライザ３３で特性変化が補償された各サブキャリアは、次の区分け部３８へ入力される。
【００５８】
区分け部３８は、操作部１３の信号パラメータ設定部１６から入力された信号パラメータＧＰにおける各階層７の信号内位置、セグメント数に基づいて、入力された１つのチャネルに含まれる各サブキャリア８を、Ａ〜Ｃの各階層７及び前述したＴＭＣＣ信号９からなる特別サブキャリアの各サブキャリアに区分けして、復調部３９へ送出する。
【００５９】
復調部３９は、操作部１３の信号パラメータ設定部１６から入力された信号パラメータＧＰにおける各階層７の変調方式及び特別サブキャリアの変調方式（ＤＢＰＳＫからなる固定の変調方式）に基づいて、Ａ〜Ｃの各階層７び特別サブキャリア（ＴＭＣＣ信号９）の各サブキャリアを、それぞれ対応する復調方式で復調して、前述した図１１に示すように、Ｉ、Ｑ座標上における位置Ｐｍ（Ｉｍ、Ｑｍ）を示す測定コンスタレーション［Ｉｍ、Ｑｍ］を求めて推定部４０及び誤差算出部４１へ送出する。
【００６０】
推定部４０は、Ａ〜Ｃの各階層７及び特別サブキャリア毎に、測定コンスタレーション［Ｉｍ、Ｑｍ］から、該当サブキャリアに対応する変調方式のＩ、Ｑ座標上における理論的位置ＰＳ（ＩＳ、ＱＳ）を示す理論的コンスタレーション［ＩＳ、ＱＳ］を推定して、誤差算出部４１及びＭＥＲ（変調誤差比）算出部４２へ送出する。
【００６１】
誤差算出部４１は、測定コンスタレーション［Ｉｍ、Ｑｍ］と理論的コンスタレーション［ＩＳ、ＱＳ］との誤差分ΔＩ、ΔＱを算出して、ＭＥＲ（変調誤差比）算出部４２へ送出する。
【００６２】
ΔＩ＝Ｉｍ―ＩＳ      ΔＱ＝Ｑｍ―ＱＳ
ＭＥＲ（変調誤差比率）算出部４２は、Ａ〜Ｃの各階層７及び特別サブキャリア毎に、誤差分ΔＩ、ΔＱと、理論的コンスタレーションの各値ＩＳ、ＱＳとのＲＭＳ電力比で示される変調誤差比（ＭＥＲ）を前述した（１）式で算出する。
【００６３】
ＭＥＲ（変調誤差比）算出部４２は、Ａ〜Ｃの各階層７及び特別サブキャリア毎の変調誤差比（ＭＥＲ）を算出すると共に、Ａ〜Ｃの各階層７及び特別サブキャリア（ＴＭＣＣ信号９）の平均の変調誤差比（ＭＥＲ）を算出する。ＭＥＲ（変調誤差比）算出部４２は、算出したＡ〜Ｃの各階層７及び特別サブキャリア毎の変調誤差比（ＭＥＲ）、及び平均の変調誤差比（ＭＥＲ）、Ａ〜Ｃの各階層７の測定コンスタレーション［Ｉｍ、Ｑｍ］を入出力操作部１２の表示部１４へ送出する。
【００６４】
入出力操作部１２の表示部１４の表示制御回路は、各周波数誤差測定部３１、３４から入力された各周波数誤差Δｆ１、Δｆ２、Ａ〜Ｃの各階層７及び特別サブキャリア毎の変調誤差比（ＭＥＲ）、及び平均の変調誤差比（ＭＥＲ）、Ａ〜Ｃの各階層７の測定コンスタレーション［Ｉｍ、Ｑｍ］を編集して、表示画面に図５、図６に示すフォーマットで表示する。
【００６５】
図５は、測定コンスタレーション［Ｉｍ、Ｑｍ］を除く全体の測定結果を示す図である。
この全体の測定結果を示す表示画面４３には、測定された搬送周波数４４、基準周波数４５、各周波数誤差Δｆ１、Δｆ２から求めた平均の周波数誤差４６、平均の変調誤差比（ＭＥＲ）４７ａとＡ〜Ｃの各階層７及び特別サブキャリア毎の変調誤差比（ＭＥＲ）４７ｂとからなる変調誤差比（ＭＥＲ）４７が表示される。
【００６６】
図６は、図５に示す全体の表示画面４３からＡの階層７の測定結果を抽出して表示した表示画面４３ａを示す図である。この表示画面４３ａには、Ａの階層７で採用されている、例えば６４ＱＡＭの変調方式における測定コンスタレーション［Ｉｍ、Ｑｍ］４８が表示されている。
【００６７】
この図４、図５に示す変調誤差比（ＭＥＲ）の測定結果によると、たとえ同一のデジタル放送信号ａであったとしても、このデジタル放送信号ａに含まれる各階層７毎に、変調誤差比（ＭＥＲ）が異なる。この実施形態においては、ＤＢＰＳＫ変調され、信号レベルが２．５ｄＢ高く設定された特別サブキャリア（ＴＭＣＣ信号９）が最も高い変調誤差比（ＭＥＲ）を有する。
【００６８】
図７は、このように構成された変調誤差比測定装置の全体動作を示す流れ図である。操作部１３にて、操作者が信号パラメータＧＰの自動検出を指定すると（Ｓ１）、信号パラメータ検出部２１が起動して、デジタル放送信号ａのモードを検出して（Ｓ２）、この検出したモードにおいて、ガードインターバル（ＧＩ）を検出する（Ｓ３）。そして、このモード及びガードインターバル（ＧＩ）を用いて、デジタル放送信号ａに含まれるＴＭＣＣ信号９の検出及び復調を行う（Ｓ４）。
【００６９】
なお、操作部１３にて、操作者が信号パラメータＧＰの自動検出を指定しないと（Ｓ１）、操作者が手動で指定（マニュアル指定）した（Ｓ５）モード及びＧＩを用いて、デジタル放送信号ａに含まれるＴＭＣＣ信号９の検出及び復調を行う（Ｓ４）。
【００７０】
ＴＭＣＣ信号９が復調されると、このＴＭＣＣ信号９の情報（信号パラメータＧＰ）を検出し（Ｓ６）、この検出した信号パラメータＧＰを変調誤差比（ＭＥＲ）測定部２２へ設定する（Ｓ７）。
【００７１】
変調誤差比（ＭＥＲ）測定部２２は、設定された信号パラメータＧＰを用いて、デジタル放送信号ａに対する変調誤差比（ＭＥＲ）の測定を実施する（Ｓ９）。
【００７２】
１回の変調誤差比（ＭＥＲ）の測定が終了すると、継続して測定を実施すると操作者が指定していた場合には（Ｓ１０）、Ｓ８へ戻り、再度、同一の信号パラメータＧＰを用いて、デジタル放送信号ａに対する変調誤差比（ＭＥＲ）の測定を実施する（Ｓ９）。そして、操作者が測定停止を指示すると、デジタル放送信号ａに対する変調誤差比（ＭＥＲ）の測定を終了する。
【００７３】
さらに、図８は、このように構成された変調誤差比測定装置の別の全体動作を示す流れ図である。デジタル放送信号ａの信号パラメータＧＰを自動検出すると（Ｒ１）、この信号パラメータＧＰを用いて、変調誤差比（ＭＥＲ）測定部２２でデジタル放送信号ａの変調誤差比（ＭＥＲ）の測定を実施する（Ｒ２）。
【００７４】
そして、変調誤差比（ＭＥＲ）の測定が一定時間経過するまで、又は変調誤差比（ＭＥＲ）の測定が一定回数終了するまで、同一の信号パラメータＧＰを用いて、デジタル放送信号ａに対する変調誤差比（ＭＥＲ）の測定を継続する（Ｒ３、Ｒ２）。
【００７５】
そして、変調誤差比（ＭＥＲ）の測定が一定時間経過したり、又は変調誤差比（ＭＥＲ）の測定が一定回数終了すると、Ｒ１へ戻り、再度、デジタル放送信号ａの信号パラメータＧＰを自動検出し、この信号パラメータＧＰを用いて、変調誤差比（ＭＥＲ）測定部２２でデジタル放送信号ａの変調誤差比（ＭＥＲ）の測定を再開する（Ｒ２）。
【００７６】
このように構成された変調誤差比測定装置においては、信号パラメータ検出部２１で、ＢＳＴ―ＯＦＤＭ変調されたデジタル放送信号ａのモードを検出し、このモードを用いて、複数のＴＭＣＣ信号９を検出し、この複数のＴＭＣＣ信号９から、デジタル放送信号ａにおけるＡ〜Ｃの各階層７の信号内位置、セグメント数、及び変調方式を含む信号パラメータＧＰを検出する。
【００７７】
そして、この検出した信号パラメータＧＰを用いて、変調誤差比（ＭＥＲ）測定部２２にて、測定対象のデジタル放送信号ａのＡ〜Ｃの各階層７の変調誤差比（ＭＥＲ）を測定し、測定結果を表示部１４に表示している。
【００７８】
このように、入力されたデジタル放送信号ａから信号パラメータＧＰを自動検出することにより、入力されたデジタル放送信号ａの各階層７毎の変調誤差比（ＭＥＲ）の自動測定が可能となる。その結果、従来の変調誤差比測定装置のように、操作者は、測定を実施するに先だって、放送局に問い合わせる等の何らかの手段を講じることによって、測定対象のデジタル放送信号ａの信号パラメータＧＰを入手して、変調誤差比測定装置に設定する必要がない。よって、操作者の測定作業負担を大幅に向上できる。
【００７９】
また、図８の流れ図に示すように、変調誤差比（ＭＥＲ）の測定が一定時間経過したり、又は変調誤差比（ＭＥＲ）の測定が一定回数終了すると、再度、デジタル放送信号ａの信号パラメータＧＰを自動検出し、この信号パラメータＧＰを用いて、デジタル放送信号ａの変調誤差比（ＭＥＲ）の測定を再開している。
【００８０】
したがって、たとえ、番組変更等に応じて測定対象のデジタル放送信号ａの階層構成が変更になったとしても、変調誤差比（ＭＥＲ）測定部２２に自動的に設定されている信号パラメータＧＰが変更になり、変調誤差比（ＭＥＲ）の測定が継続して実施でき、測定能率を向上できる。
【００８１】
さらに、上述したように信号パラメータＧＰを自動検出して自動設定することの他に、必要に応じて、操作者がマニュアル設定可能である。この場合、信号パラメータＧＰの一部の項目のみ操作者がマニュアル設定し、他の項目を自動検出することも可能である。
【００８２】
【発明の効果】
以上説明したように、本発明の変調誤差比測定装置においては、測定対象のデジタル放送信号の信号パラメータを自動検出している。
【００８３】
したがって、測定対象のデジタル放送信号の信号パラメータの自動設定が可能であり、かつ、測定対象のデジタル放送信号の階層構成が変更になったとしても、設定されている信号パラメータが自動的に変更になり、変調誤差比（ＭＥＲ）の測定能率を向上でき、かつ操作者の測定作業負担を大幅に向上できる。
【図面の簡単な説明】
【図１】本発明の一実施形態に係る変調誤差比測定装置の全体構成を示すブロック図
【図２】同実施形態に係る変調誤差比測定装置に組込まれた変調誤差比測定部の概略構成を示すブロック図
【図３】測定対象のデジタル放送信号の周波数特性図
【図４】同測定対象のデジタル放送信号のガードインターバル（ＧＩ）を示す図
【図５】表示部に表示された測定結果を示す図
【図６】同じく表示部に表示された測定結果を示す図
【図７】同実施形態に係る変調誤差比測定装置の全体動作を示す流れ図
【図８】同じく同実施形態に係る変調誤差比測定装置の全体動作を示す流れ図
【図９】一般的なアナログ放送信号及びデジタル放送信号の周波数特性図
【図１０】誤り率―ＣＮ特性を示す図
【図１１】一般的なＭＥＲの求め方を示す図
【図１２】測定対象のデジタル放送信号の周波数特性図
【符号の説明】
６…セグメント、７…階層、８…サブキャアリア、９…ＴＭＣＣ信号、１０…ガードインターバル（ＧＩ）、１１…信号変換部、１２…入出力操作部、１３…操作部、１４…表示部、１５…信号周波数設定部、１６…信号パラメータ設定部、２１…信号パラメータ検出部、２２…変調誤差比（ＭＥＲ）測定部、２３…周波数変換部、２４…Ａ／Ｄ変換部、２５…直交復調部、２６…モード検出部、２７…ガードインターバル検出部、２８…ＴＭＣＣ復調部、２９…ＴＭＣＣ情報検出部、３３…シンボルタイミング抽出部、３５…ＯＦＤＭ復調部、３８…区分け部、３９…復調部、４０…推定部、４１…誤差算出部、４２…ＭＥＲ（変調誤差比）算出部
【図１】
2005026780.tif 000004
【図２】
2005026780.tif 000005
【図３】
2005026780.tif 000006
【図４】
2005026780.tif 000007
【図５】
2005026780.tif 000008
【図６】
2005026780.tif 000009
【図７】
2005026780.tif 000010
【図８】
2005026780.tif 000011
【図９】
2005026780.tif 000012
【図１０】
2005026780.tif 000013
【図１１】
2005026780.tif 000014
【図１２】
2005026780.tif 000015